(57)【要約】【課題】アンテナ体に無理な引っ張り力や曲げ応力が作用しても、損傷したり破損する事態を防止できるようにするとともに、アンテナ体の回動機能を損なうことなく部品点数を低減させて組み立てなどの製造効率の向上を図る。【解決手段】小型通信用機器の機器本体１に支持部材１０により回動可能に支持され機器本体１内の通信用回路に接続可能なアンテナ体２０を備え、支持部材１０を、導電性材料で形成された球状体１１と、球状体１１に連設され球状体１１を機器本体１に突出させて保持する脚体１２とを備えて構成し、アンテナ体２０を、導電性材料で形成されたロッド２１を有して構成し、ロッド２１の一端に、支持部材１０の球状体１１を挾んで弾持する一対の挾持片２２を一体形成し、一対の各挾持片２２の内側に、球状体１１に係合する略半球状の凹部２３を形成し、アンテナ体２０をその一対の挾持片２２の弾性変形により支持部材１０の球状体１１に対して着脱可能にした。【選択図】  図１
2004363962.tif 000002
【特許請求の範囲】
【請求項１】
小型通信用機器の機器本体に支持部材により回動可能に支持され該機器本体内の通信用回路に接続可能なアンテナ体を備えた小型通信用機器のアンテナ装置において、
上記アンテナ体を、上記支持部材に対して所定以上の応力が作用したとき該支持部材から離脱できるように該支持部材に着脱可能に設けたことを特徴とする小型通信用機器のアンテナ装置。
【請求項２】
上記支持部材を、導電性材料で形成された球状体を備えて構成し、
上記アンテナ体を、導電性材料で形成され上記球状体を挾んで弾持する一対の挾持片を備えて構成し、該一対の挾持片をその弾性変形により上記球状体に対して着脱可能にしたことを特徴とする請求項１記載の小型通信用機器のアンテナ装置。
【請求項３】
上記支持部材を、導電性材料で形成され上記機器本体内に電気的接続された球状体と、該球状体に連設され該球状体を上記機器本体に突出させて保持する脚体とを備えて構成し、
上記アンテナ体を、導電性材料で形成されたロッドを有して構成し、該ロッドの一端に、上記支持部材の球状体を挾んで弾持する一対の挾持片を一体形成し、該アンテナ体をその一対の挾持片の弾性変形により上記支持部材の球状体に対して着脱可能にしたことを特徴とする請求項１記載の小型通信用機器のアンテナ装置。
【請求項４】
上記ロッドを少なくとも該ロッドの挾持片の内側を露出させて樹脂製の被覆体で被覆したことを特徴とする請求項３記載の小型通信用機器のアンテナ装置。
【請求項５】
上記一対の挾持片を、板状部材を断面略Ｕ字状に折曲することにより形成し、該一対の各挾持片の内側に、上記球状体に係合する略半球状の凹部を形成し、該凹部をその開口縁のみが上記球状体に接触する大きさに形成したことを特徴とする請求項２，３または４記載の小型通信用機器のアンテナ装置。
【請求項６】
上記一対の挾持片を、板状部材を断面略Ｕ字状に折曲することにより形成し、該一対の各挾持片の内側に、上記球状体の面に接触して係合する少なくとも３つの突起を設けたことを特徴とする請求項２，３または４記載の小型通信用機器のアンテナ装置。
【発明の詳細な説明】
【０００１】
【発明の属する技術分野】
本発明は、各種の小型通信用機器に備えられるアンテナ装置に係り、主に、小型通信用機器としてノートパソコン等の電子機器が備える外部拡張スロットに挿入してデータ通信を行なうことが可能な所謂ＰＣカードに有用な小型通信用機器のアンテナ装置に関する。
【０００２】
【従来の技術】
従来、この種の小型通信用機器のアンテナ装置としては、例えば、特許文献１（特開２００３−１００３８１号公報）に掲載されたものが知られている。
図８に示すように、このアンテナ装置Ｓａは、小型通信用機器としてノートパソコン等の電子機器（図示せず）が備える外部拡張スロット（図示せず）に挿入してデータ通信を行なうことが可能な所謂ＰＣカードＣに設けられるものであり、ＰＣカードＣの機器本体１に支持部材２により回動可能に支持され、機器本体１内の通信用回路（図示せず）に接続可能なアンテナ体３を備えて構成されている。そして、このＰＣカードＣにおいては、例えば、アンテナ体３を使って外部の携帯電話またはＰＨＳの基地局を介しデータ通信を行なうことができる。
【０００３】
支持部材２としては、機器本体１の一辺４の一方側コーナ部４ａ近傍に設けられ第１回動軸を有する第１支持部材２ａと、第１支持部材２ａによって支持されかつ第１回動軸と直交する第２回動軸を有する第２支持部材２ｂが設けられている。そして、アンテナ体３を、回動させることにより、機器本体１の一辺４に沿って接合する収納位置Ａに位置させることができ、この収納位置Ａから種々の角度で立設させることができるようにしている。この場合、アンテナ体３は、第１支持部材２ａ及び第２支持部材２ｂの２つの部材により、２軸で回動可能に支持されているので、立設方向を種々に調整できるようになっている。
【０００４】
【特許文献１】
特開２００３−１００３８１号公報
【０００５】
【発明が解決しようとする課題】
ところで、上記の従来小型通信用機器のアンテナ装置Ｓａにあっては、アンテナ体３は、２軸支持によりその立設方向を種々に調整できるようになってはいるが、第１支持部材２ａ及び第２支持部材２ｂの２つの部材に着脱不能に連結されているので、図７（ｂ）に示すように、回動不能方向（図中Ｒ方向）に無理に回動させようとしたり、アンテナ体３を無理に引っ張ったりする（図中Ｑ方向）と、連結部位に多大な応力が加わり、損傷したり破損させてしまうことがあるという問題があった。
また、第１支持部材２ａ及び第２支持部材２ｂの２つの部材を用いているので、それだけ、部品点数が多く部品製造やその管理が煩雑になり、組み立ても煩雑になって、コスト高になり製造効率を損ねているという問題もあった。
【０００６】
本発明は、上記の問題点に鑑みてなされたもので、アンテナ体を、回動不能方向に無理に回動させようとしたり、アンテナ体を無理に引っ張ったりして、アンテナ体に無理な引っ張り力や曲げ応力が作用しても、損傷したり破損する事態を防止できるようにするとともに、アンテナ体の回動機能を損なうことなく部品点数を低減させて組み立てなどの製造効率の向上を図った小型通信用機器のアンテナ装置を提供することを目的とする。
【０００７】
【課題を解決するための手段】
このような目的を達成するための本発明の技術的手段は、小型通信用機器の機器本体に支持部材により回動可能に支持され該機器本体内の通信用回路に接続可能なアンテナ体を備えた小型通信用機器のアンテナ装置において、上記アンテナ体を、上記支持部材に対して所定以上の応力が作用したとき該支持部材から離脱できるように該支持部材に着脱可能に設けた構成としている。
【０００８】
具体的には、上記支持部材を、導電性材料で形成された球状体を備えて構成し、上記アンテナ体を、導電性材料で形成され上記球状体を挾んで弾持する一対の挾持片を備えて構成し、該一対の挾持片をその弾性変形により上記球状体に対して着脱可能にした構成としている。
【０００９】
より具体的には、上記支持部材を、導電性材料で形成され上記機器本体内に電気的接続された球状体と、該球状体に連設され該球状体を上記機器本体に突出させて保持する脚体とを備えて構成し、上記アンテナ体を、導電性材料で形成されたロッドを有して構成し、該ロッドの一端に、上記支持部材の球状体を挾んで弾持する一対の挾持片を一体形成し、該アンテナ体をその一対の挾持片の弾性変形により上記支持部材の球状体に対して着脱可能にしている。
【００１０】
これにより、小型通信用機器により通信を行なう際には、球状体を支点としてアンテナ体を回動し、適宜の向きに立設する。この場合、挾持片は球状体を挾んで弾持するので、容易に外れることなく回動が行なわれる。また、従来のような固定された軸がないので、比較的回動範囲が広く設定される。この場合、アンテナ体を、回動不能方向に無理に回動させようとしたり、アンテナ体を無理に引っ張ったりすると、アンテナ体に無理な引っ張り力や無理な曲げ応力が作用し、挾持片に多大な応力が加わるが、所定以上の応力が作用したときには、一対の挾持片が弾性変形して拡開するようになり、これにより、球状体から離脱する。そのため、アンテナ体や支持部材が損傷したり破損したりする事態が防止され、耐久性が向上させられる。
【００１１】
また、挾持片を弾性変形させて球状体を挾んで弾持させて回動させるので、従来のように回動軸のような特別な部材を設けなくても良いことから、それだけ、部品点数が低減し、組み立ても容易になるので、製造効率の向上が図られるとともに、コストダウンが図られる。
【００１２】
そして、必要に応じ、上記ロッドを少なくとも該ロッドの挾持片の内側を露出させて樹脂製の被覆体で被覆した構成としている。ロッドが樹脂で被覆されるので、見栄えがよくなり、外観品質が向上させられる。
【００１３】
また、必要に応じ、上記一対の挾持片を、板状部材を断面略Ｕ字状に折曲することにより形成し、該一対の各挾持片の内側に、上記球状体に係合する略半球状の凹部を形成し、該凹部をその開口縁のみが上記球状体に接触する大きさに形成した構成としている。球状体と挾持片の凹部とが相対的に摺動するが、凹部はその開口縁のみが球状体に線接触するようになっているので、回動が円滑に行なわれる。また、凹部の開口縁で球状体が押さえられるので、挾持片が球状体に対して容易にずれることがなく、確実に球状体を挾んで弾持できるので、容易に外れることなく回動が行なわれる。
【００１４】
更に、必要に応じ、上記一対の挾持片を、板状部材を断面略Ｕ字状に折曲することにより形成し、該一対の各挾持片の内側に、上記球状体の面に接触して係合する少なくとも３つの突起を設けた構成としている。球状体と挾持片の突起とが相対的に摺動するが、突起が球状体に点接触するようになっているので、回動が円滑に行なわれる。また、少なくとも３つの突起で球状体が押さえられるので、挾持片が球状体に対して容易にずれることがなく、確実に球状体を挾んで弾持できるので、容易に外れることなく回動が行なわれる。
【００１５】
【発明の実施の形態】
以下、添付図面に基づいて、本発明の実施の形態に係る小型通信用機器のアンテナ装置を説明する。尚、上記と同様のものには同一の符号を付して説明する。
【００１６】
図１に示すように、実施の形態に係るアンテナ装置Ｓは、小型通信用機器としてノートパソコン等の電子機器（図示せず）が備える外部拡張スロット（図示せず）に挿入してデータ通信を行なうことが可能な略矩形のカード状に形成された所謂ＰＣカードＣに設けられるものであり、基本的には、ＰＣカードＣの機器本体１に支持部材１０により回動可能に支持され、機器本体１内の通信用回路（図示せず）に接続可能なアンテナ体２０を備えて構成されている。
【００１７】
そして、アンテナ体２０は、支持部材１０に対して所定以上の応力が作用したとき、支持部材１０から離脱できるように支持部材１０に着脱可能に設けられている。
【００１８】
詳しくは、図１乃至図４に示すように、支持部材１０は、金属などの導電性材料で形成されて機器本体１内に電気的接続されており、球状体１１と、球状体１１に連設され球状体１１を機器本体１に突出させて保持する棒状の脚体１２とを備えて構成されている。支持部材１０は、機器本体１の一辺４の一方側コーナ部４ａ近傍に突設されている。
【００１９】
アンテナ体２０は、金属などの導電性材料で形成されたロッド２１を有して構成されている。ロッド２１の一端には、支持部材１０の球状体１１を挾んで弾持する一対の挾持片２２が一体形成されている。この一対の挾持片２２は、板状部材を断面略Ｕ字状に折曲することにより形成されており、アンテナ体２０をその一対の挾持片２２の弾性変形により球状体１１に対して着脱可能にしてある。
【００２０】
また、一対の各挾持片２２の内側には、球状体１１に係合する略半球状の凹部２３が形成されている。凹部２３は、その開口縁２４のみが球状体１１に接触する大きさに形成されている。即ち、図３に示すように、凹部２３は、球状体１１の半径Ｒ１よりも小さい半径Ｒ２に形成され、開口縁２４が球状体１１に線接触するようになっている。本来は、凹部２３の半径Ｒ２と球状体１１の半径Ｒ１とが同じであればよいが、精度的にこのように製造することが難しい。一方、凹部２３の半径Ｒ２が球状体１１の半径Ｒ１より大きいと、球状体１１は、凹部２３内に入って、凹部２３面と１点接触することになり、そのため、アンテナ体２０が倒れ易くなり、好ましくない。
【００２１】
更に、ロッド２１は、少なくともロッド２１の挾持片２２の内側を露出させて樹脂製の被覆体２６で被覆されている。実施の形態では、アンテナ体２０は、樹脂成形機により成形され、その際、ロッド２１は樹脂に埋設されて一体に成形される。挾持片２２の外側に被覆体２６が被覆されるが、樹脂なので弾性があり、一対の挾持片２２の弾性変形機能は損なわれない。これにより、ロッド２１が被覆体２６で被覆されるので、見栄えがよくなり、外観品質が向上させられる。
【００２２】
また、アンテナ体２０は、支持部材１０への装着時に、機器本体１の一辺４に沿って接合可能な収納位置Ａ（図４（ａ））に位置可能に形成されるとともに、一辺４への接合時である収納位置Ａにおいては、両端が一辺４の両コーナ部４ａ，４ｂから突出しないようにかつ機器本体１の一辺４の厚さ方向端より突出しないように形成されている。詳しくは、図４（ａ）に示すように、アンテナ体２０は、アンテナ体２０の長さＬが機器本体１の一辺４の長さＸに対して、Ｌ≦Ｘであり、アンテナ体２０の挾持片２２の挾持方向における幅Ｄが、機器本体１の一辺４の厚さＴに対して、Ｄ≦Ｔに形成されている。実施の形態では、Ｄ＝Ｔに形成されている。
また、図１，図２（ａ）及び図４（ｂ）に示すように、機器本体１の一辺４において、他方側コーナ部４ｂ近傍には、突起２７が突設されている一方、アンテナ体２０の裏面には、突起２７に係合する凹所２８が形成され、この突起２７と凹所２８との係合により、アンテナ体２０は、収納位置Ａに位置決めされる。
【００２３】
従って、この実施の形態に係るアンテナ装置Ｓを製造するときは、支持部材１０は、自動旋盤などで作成しておく。この場合、自動旋盤などで容易かつ大量に製造できる。そのため、コストを極めて安く製造することができる。一方、アンテナ体２０は、樹脂成形機により成形しておく。この場合、ロッド２１を樹脂に埋設させて一体に成形するだけなので、容易かつ大量に製造できる。そのため、コストを極めて安く製造することができる。また、従来のように回動軸のような特別な部材を設けなくても良いことから、それだけ、部品点数が少なくて済み、部品管理も容易になることから、この点でも、コストダウンを図ることができる。
【００２４】
また、実施の形態に係るアンテナ装置Ｓを組み立てるときは、機器本体１に支持部材１０の脚体１２を取り付ける。そして、この支持部材１０に、アンテナ体２０を組み付ける。この場合、アンテナ体２０の一対の挾持片２２を拡開するように弾性変形させて、球状体１１を挾んで弾持させる。そのため、支持部材１０との連結において、従来のように回動軸のような特別な部材を設けなくても良いことから、それだけ組み立てが容易になり、製造効率が向上させられるとともに、コストダウンが図られる。
【００２５】
次に、このように実施の形態に係るアンテナ装置Ｓが組付けられたＰＣカードＣを使用するときについて説明する。
先ず、ＰＣカードＣによるデータ通信を行なわない場合には、図４（ａ）に示すように、アンテナ体２０は収納位置Ａに位置させられる。この場合、突起２７と凹所２８との係合により、アンテナ体２０は、収納位置Ａに位置決めされるので、容易に動きにくくなっており、保持が確実になる。
【００２６】
携帯電話やＰＨＳの基地局に接続してデータ通信を行なう際には、図４（ｂ）に示すように、突起２７と凹所２８との係合を解除し、球状体１１を支点としてアンテナ体２０を回動し、適宜の向きに立設する。この場合、球状体１１と挾持片２２の凹部２３とが相対的に摺動するが、凹部２３はその開口縁２４のみが球状体１１に線接触するようになっているので、回動が円滑に行なわれる。また、凹部２３の開口縁２４で球状体１１が押さえられるので、挾持片２２が球状体１１に対して容易にずれることがなく、確実に球状体１１を挾んで弾持できるので、容易に外れることなく回動が行なわれる。更に、従来のような固定された軸がないので、比較的回動範囲が広く設定される。
【００２７】
また、この場合、図５及び図６に示すように、アンテナ体２０を、回動不能方向（図５中Ｒ方向）に無理に回動させようとしたり、アンテナ体２０を無理に引っ張ったりする（図５中Ｑ方向）と、アンテナ体２０に無理な引っ張り力や無理な曲げ応力が作用し、挾持片２２に多大な応力が加わるが、所定以上の応力が作用したときには、図６に示すように、一対の挾持片２２が弾性変形して拡開するようになり、これにより、球状体１１から離脱する。そのため、アンテナ体２０や支持部材１０が損傷したり破損したりする事態が防止され、耐久性が向上させられる。
そして、アンテナ体２０を適宜の向きに立設した状態で、外部の携帯電話またはＰＨＳの基地局とデータ通信を行なう。
【００２８】
図７には、本発明の実施の形態に係る、挾持片２２の変形例を示す。この一対の挾持片２２は、上記と同様に、板状部材を断面略Ｕ字状に折曲することにより形成されており、この一対の各挾持片２２の内側には、球状体１１の面に接触して係合する少なくとも３つの突起３０（実施の形態では３つの突起３０）が同一の円周上に設けられている。これによっても上記と同様の作用，効果を奏する。
【００２９】
尚、上記実施の形態では、本発明をＰＣカードＣに適用した例で説明したが、必ずしもこれに限定されるものではなく、ＰＣカードＣ以外の、種々の小型通信用機器に適用してよいことは勿論である。
【００３０】
【発明の効果】
以上説明したように、本発明の小型通信用機器のアンテナ装置によれば、アンテナ体を支持部材に対して所定以上の応力が作用したとき支持部材から離脱できるように着脱可能に設けたので、アンテナ体を、回動不能方向に無理に回動させようとしたり、アンテナ体を無理に引っ張ったりすると、アンテナ体に無理な引っ張り力や無理な曲げ応力が作用するが、所定以上の応力が作用したときには、アンテナ体が支持部材から離脱するので、アンテナ体や支持部材が損傷したり破損したりする事態を防止することができ、耐久性を向上させることができる。
【００３１】
特に、支持部材を球状体を備えて構成し、アンテナ体を球状体を挾んで弾持する一対の挾持片を備えて構成した場合には、挾持片は球状体を挾んで弾持するので、容易に外れることなく回動を行なうことができる。また、従来のような固定された軸がないので、比較的回動範囲を広く設定することができる。更に、アンテナ体を、回動不能方向に無理に回動させようとしたり、アンテナ体を無理に引っ張ったりすると、アンテナ体に無理な引っ張り力や無理な曲げ応力が作用し、挾持片に多大な応力が加わるが、所定以上の応力が作用したときには、一対の挾持片が弾性変形して拡開するようになり、これにより、球状体から離脱する。そのため、アンテナ体や支持部材が損傷したり破損したりする事態を防止することができ、耐久性を向上させることができる。
【００３２】
更にまた、挾持片を弾性変形させて球状体を挾んで弾持させて回動させるので、従来のように回動軸のような特別な部材を設けなくても良いことから、それだけ、部品点数が低減し、組み立ても容易になるので、製造効率の向上を図ることができるとともに、コストダウンを図ることができる。
【００３３】
また、挾持片の内側に球状体に係合する略半球状の凹部を形成し、凹部をその開口縁のみが球状体に接触する大きさに形成した場合には、球状体と挾持片の凹部とが相対的に摺動するが、凹部はその開口縁のみが球状体に線接触するようになっているので、回動を円滑に行なわせることができる。また、開口縁で球状体が押さえられるので、挾持片が球状体に対して容易にずれることがなく、確実に球状体を挾んで弾持できることから、容易に外れることなく回動を円滑に行なわせることができる。
【図面の簡単な説明】
【図１】本発明の実施の形態に係る小型通信用機器のアンテナ装置を示す分解斜視図である。
【図２】本発明の実施の形態に係る小型通信用機器のアンテナ装置においてアンテナ体の構造を示す図であり、（ａ）は側面断面図、（ｂ）は平面断面図である。
【図３】本発明の実施の形態に係る小型通信用機器のアンテナ装置においてアンテナ体の構造を示す要部拡大断面図である。
【図４】本発明の実施の形態に係る小型通信用機器のアンテナ装置の使用状態を示す図であり、（ａ）はアンテナ体が収納位置にある状態を示す斜視図、（ｂ）はアンテナ体が回動されて立設された位置にある状態を示す斜視図である。
【図５】本発明の実施の形態に係る小型通信用機器のアンテナ装置において、アンテナ体に所定以上の応力が作用したときの作用を示す図である。
【図６】本発明の実施の形態に係る小型通信用機器のアンテナ装置において、アンテナ体に所定以上の応力が作用したときの作用を示す要部拡大断面図である。
【図７】本発明の実施の形態に係る小型通信用機器のアンテナ装置において、アンテナ体の変形例を示す側面断面図である。
【図８】従来の小型通信用機器のアンテナ装置をその不具合とともに示す斜視図である。
【符号の説明】
Ｓ  アンテナ装置
Ｃ  ＰＣカード（小型通信用機器）
１  機器本体
４  一辺
４ａ  一方側コーナ部
４ｂ  他方側コーナ部
１０  支持部材
１１  球状体
１２  脚体
２０  アンテナ体
２１  ロッド
２２  挾持片
２３  凹部
２４  開口縁
２６  被覆体
２７  突起
２８  凹所
３０  突起
【図１】
2004363962.tif 000003
【図２】
2004363962.tif 000004
【図３】
2004363962.tif 000005
【図４】
2004363962.tif 000006
【図５】
2004363962.tif 000007
【図６】
2004363962.tif 000008
【図７】
2004363962.tif 000009
【図８】
2004363962.tif 000010